(57)【要約】 【課題】携帯端末の表示窓に表示された画像を簡単に転写することができる携帯端末用画像表示装置を提供すること。【解決手段】携帯電話機１０の表示窓１０Ａと対向可能であり表示窓１０Ａの画像情報を読み取る画像読取手段２と、この画像読取手段２で読み取った表示窓１０Ａの情報を表示するモニタ３とを備えた。携帯電話機１０として既存のものをそのまま利用できるものであり、携帯電話機１０の表示窓１０Ａで表示される画像をそのまま表示するものであるから、複雑な通信システムを採用する必要がない。【選択図】 図３
2006270256.tif 000002
【特許請求の範囲】
【請求項１】
携帯端末の表示窓と対向可能であり前記表示窓の情報を読み取る画像読取手段と、前記画像読取手段により読み取った前記表示窓の情報を表示する表示手段とを備えたことを特徴とする携帯端末用画像表示装置。
【請求項２】
請求項１に記載された携帯端末用画像表示装置において、
前記画像読取手段は前記表示窓と対向配置されるレンズを備えたことを特徴とする携帯端末用画像表示装置。
【請求項３】
請求項２に記載された携帯端末用画像表示装置において、
前記画像読取手段は、前記レンズを通して得られる画像を二次元の画像データへ生成するＣＣＤを備えたことを特徴とする携帯端末用画像表示装置。
【請求項４】
請求項２又は請求項３に記載された携帯端末用画像表示装置において、
前記画像読取手段は前記レンズを保持する筐体を備え、この筐体と前記携帯端末の表示窓との間には前記レンズと前記表示窓とを略平行に維持するスペーサが設けられていることを特徴とする携帯端末用画像表示装置。
【請求項５】
請求項２から請求項４のいずれかに記載された携帯端末用画像表示装置において、
前記画像読取手段は前記表示窓を照明する照明手段を備えたことを特徴とする携帯端末用画像表示装置。
【請求項６】
請求項５に記載された携帯端末用画像表示装置において、
前記照明手段は前記レンズの前記表示窓の情報出射側に配置されていることを特徴とする携帯端末用画像表示装置。
【請求項７】
請求項５又は請求項６に記載された携帯端末用画像表示装置において、
前記照明手段はＬＥＤであることを特徴とする携帯端末用画像表示装置。
【発明の詳細な説明】
【技術分野】
【０００１】
本発明は、携帯電話機等の携帯端末の画像を表示する携帯端末用画像表示装置に関する。
【背景技術】
【０００２】
最近、携帯電話機をはじめとする携帯端末が頻繁に利用されている。この携帯端末は、その表示窓に表示された画像情報を他の装置に出力したい場合がある。
例えば、車両運転中の運転者に携帯電話機への着信を車内の表示装置で知らせたい場合があり、この表示装置として、従来では、携帯電話機から下りシリアル信号を入力して必要情報をヘッドアップディスプレイに表示するものがある（特許文献１）。
【０００３】
この特許文献１は、下りシリアル信号のインターフェースを行うインターフェース部と、インターフェース部によりレベル変換された下りシリアル信号を入力してデータを解析して記憶及び表示の処理を行う制御部と、下りシリアルデータを一時記憶する記憶部と、制御部の表示処理に基づき必要と判断されたシリアルデータをヘッドアップディスプレイ上に表示させる表示用ドライバと、表示用ドライバによって駆動されるヘッドアップディスプレイとを備え、着信時に運転者は通信の情報をフロントガラスの正面から目線を離さずに容易に視認できる。
【０００４】
【特許文献１】特開２０００−５２８１０号公報
【発明の開示】
【発明が解決しようとする課題】
【０００５】
特許文献１では、システムを利用するために、携帯電話機にシリアル信号の入力端子を必要とする。そのため、既存の携帯電話機をそのまま利用できるものではなく、利用者は新しい機種の携帯電話機を買い換えなければならず、費用の負担を生じさせることになる。さらに、システムの採用に伴い、通信会社の間での通信方法を規格化しなければならず、この点からもコストがかかる。
以上の課題は携帯電話機の着信情報を運転者に知らせる場合だけでなく、携帯端末の表示窓で表示される画像、例えば、静止画や動画を多くの人に見てもらうためにテレビ等のモニタに携帯電話機を接続する場合についても生じる。
【０００６】
本発明の目的は、携帯端末の表示窓に表示された画像を簡単に転写することができる携帯端末用画像表示装置を提供することにある。
【課題を解決するための手段】
【０００７】
本発明の携帯端末用画像表示装置は、携帯端末の表示窓と対向可能であり前記表示窓の情報を読み取る画像読取手段と、前記画像読取手段により読み取った前記表示窓の情報を表示する表示手段とを備えたことを特徴とする。
【０００８】
この発明によれば、携帯端末の表示窓に表示された画像を直接画像読取手段で読み取り、その画像情報を適宜出力する。
そのため、本発明では、携帯端末として既存のものをそのまま利用できるものであり、携帯端末の表示窓で表示される情報をそのまま表示するものであるから、複雑な通信システムを採用する必要がないので、表示窓の画像の転写を簡単に行える。
【０００９】
本発明では、前記画像読取手段は前記表示窓と対向配置されるレンズを備えた構成が好ましい。
この発明ではレンズにより表示窓で表示される画像が縮小されるから、装置自体の構造を小型化できる。
【００１０】
前記画像読取手段は、前記レンズを通して得られる画像を二次元の画像データへ生成するＣＣＤを備えた構成が好ましい。
この発明では、ＣＣＤはビデオカメラ等の家電製品に多用されている電子素子であるため、比較的に簡単かつ安価に入手可能であり、装置の低コスト化を達成することができる。しかも、ＣＣＤは小さな電子素子であり、かつ、その容量が大きいことから、装置自体の小型化及び高性能化を達成できる。
【００１１】
前記画像読取手段は前記レンズを保持する筐体を備え、この筐体と前記携帯端末の表示窓との間には前記レンズと前記表示窓とを略平行に維持するスペーサが設けられている構成が好ましい。
この発明では、スペーサによってレンズの焦点がＣＣＤに合うように画像読取手段と携帯端末との位置決めが行えるので、携帯端末の表示窓で表示された画像を鮮明に取り込むことができる。
【００１２】
前記画像読取手段は前記表示窓を照明する照明手段を備えた構成が好ましい。
この発明では、表示窓で表示される画像の明るさが不足する場合であっても、照明手段によって携帯端末の表示窓が照明されるので、表示窓で表示される画像を画像読取手段で十分に読み取ることができる。
【００１３】
前記照明手段は前記レンズの前記表示窓の情報出射側に配置されている構成が好ましい。
この発明では、照明手段が表示窓の情報出射側に内蔵されているため、照明手段が破損されることを防止することができる。
【００１４】
前記照明手段はＬＥＤである構成が好ましい。
この発明では、ＬＥＤは、それ自体小型であって寿命が長いので、装置の小型化を図れるとともにメンテナンスが容易となる。
【発明を実施するための最良の形態】
【００１５】
以下、本発明の実施形態を図面に基づいて説明する。
（第１実施形態）
図１から図４には本発明の第１実施形態が示されている。
図１は第１実施形態で適用される携帯端末としての携帯電話機１０の正面図であり、図２は、その側面図である。
図１及び図２において、携帯電話機１０は、その正面上部に表示窓１０Ａが形成され、この表示窓１０Ａの下方に操作キー１０Ｂが複数配列されており、頂部にはアンテナ１０Ｃが設けられている。この携帯電話機１０は公知のものであり、着信信号受信時に着信音を発生させる通常のモードと、着信音を発生させないで携帯電話機１０を振動するバイブレータモード（マナーモード）とが選択可能とされる。
【００１６】
図３には第１実施形態の携帯端末用画像表示装置１の概略構成が示されている。
図３において、携帯端末用画像表示装置１は、携帯電話機１０の表示窓１０Ａと対向可能であり表示窓１０Ａの画像情報を読み取る画像読取手段２と、この画像読取手段２で読み取った画像情報を表示するモニタ３とを備えている。このモニタ３はテレビ、パソコン、車両内ディスプレイ（例えば、ヘッドアップディスプレイ）、その他の画像表示可能な装置である。
【００１７】
画像読取手段２は、表示窓１０Ａの画像情報を入力する入力プローブ４と、この入力プローブ４で入力した画像情報を編集してモニタ３に出力する制御部５とを備えている。
入力プローブ４は、筐体４０と、この筐体４０に保持されるとともに表示窓１０Ａと対向配置される凸状のレンズ４１と、このレンズ４１で得られる光信号を蓄積して二次元の画像データを生成するＣＣＤ４２と、表示窓１０Ａを照明する照明手段としてのＬＥＤ４３と、表示窓１０Ａから筐体４０内に照明される光の受光量を検出する受光センサ４４とを備えており、筐体４０と携帯電話機１０の表示窓１０Ａとの間にはスペーサ４５が設けられている。
【００１８】
筐体４０はレンズ４１を保持する略円筒状の第１保持部４０１と、この第１保持部４０１より小径の円筒状に形成されＣＣＤ４２を保持する第２保持部４０２と、これらの第１保持部４０１と第２保持部４０２とを連結する円錐状筒部４０３とを備え、これらは合成樹脂から一体に成形されている。
第１保持部４０１は、その内周部にレンズ４１の外周部を保持する凹部が形成されている。
第２保持部４０２は、その内周部にＣＣＤ４２の外周部を保持する凹部が形成されている。
円錐筒状部４０３は、その内周面部にＬＥＤ４３が複数取り付けられている。これらのＬＥＤ４３はレンズ４１の軸方向に沿って並んで配置されている。なお、ＬＥＤ４３の照明効果を高めるため、円錐状筒部４０３の内周面に反射鏡面部を形成してもよい。
【００１９】
ＣＣＤ４２はアナログ信号電荷を再生蓄積する回路素子であって、半導体チップ上に転送電極が配列されている半導体記憶装置の一種であり、カメラをはじめとする撮像装置一般に利用されている。ＣＣＤ４２は略平板状に形成されており、その垂直線はレンズ４１の光軸と平行である。
受光センサ４４は、筐体４０の内部であってＣＣＤ４２の近傍に配置されており、フォトダイオードやフォトランジスタ等からなる受光素子を備える。
この受光センサ４４は表示窓１０Ａから照明される光の光量が基準量未満となった場合にＬＥＤ４３を点灯させる。
つまり、携帯電話機１０の表示窓１０Ａは、その内部に設けられたバックライトが点灯することで表示窓１０Ａに画像が鮮明に表示されるが、そのバックライトは一定時間経過後消灯するので、消灯後は表示窓１０Ａの画像は暗くなる。そのため、本実施形態では、バックライトが点灯して表示窓１０Ａから筐体４０内に照明される光の光量を基準量とし、この基準量以上の光量を受光センサ４４で検出した場合にはＬＥＤ４３を点灯させず、基準量未満の光量を受光センサ４４で検出した場合にはＬＥＤ４３を点灯させる構成とした。
【００２０】
スペーサ４５は合成樹脂からリング状に一体成形されており、レンズ４１と表示窓１０Ａとを略平行に維持して両者の基準面ギャップを調整するものである。
制御部５の構成が図４に示されている。
図４において、制御部５は、ＣＣＤ４２から出力されるデジタル信号をアナログ信号に変換するＤ／Ａ変換器５Ｂと、このＤ／Ａ変換器５Ｂで変換されたアナログ信号に基づいて画像情報を生成する画像処理回路５Ｂとを備えている。
【００２１】
従って、第１実施形態では、次の効果を奏することができる。
(１)携帯電話機１０の表示窓１０Ａと対向可能であり表示窓１０Ａの画像情報を読み取る画像読取手段２を備えた。そのため、携帯電話機１０として既存のものをそのまま利用できるものであり、携帯電話機１０の表示窓１０Ａで表示される画像をそのまま表示するものであるから、複雑な通信システムを採用する必要がない。従って、表示窓１０Ａの画像の転写を簡単に行える。
【００２２】
（２）画像読取手段２は入力プローブ４を備え、この入力プローブ４は表示窓１０Ａと対向配置されるレンズ４１を備えたから、表示窓１０Ａの画像がレンズ４１で縮小されてＣＣＤ４２に送られるから、装置自体の小型化をすることができる。
【００２３】
（３）入力プローブ４はレンズ４１で得られる光信号を蓄積して二次元の画像データを生成するＣＣＤ４２を備えた構成である。そのため、ＣＣＤ４２自体がビデオカメラ等の家電製品に多用されている電子素子であるため、比較的に簡単かつ安価に入手可能であるから、装置の低コスト化を達成することができる。しかも、ＣＣＤ４２が小さな電子素子であり、かつ、その記憶容量が大きいことから、装置自体の小型化及び高性能化を達成できる。
【００２４】
（４）入力プローブ４はレンズ４１を保持する筐体４０を備え、この筐体４０と携帯電話機１０の表示窓１０Ａとの間にはレンズ４１と表示窓１０Ａとを略平行に維持するスペーサ４５が設けられている。そのため、スペーサ４５によってレンズ４１の焦点がＣＣＤ４２に合うように画像読取手段２と携帯電話機１０との位置決めが行えるので、携帯電話機１０の表示窓１０Ａで表示された画像を鮮明に取り込むことができる。
【００２５】
（５）スペーサ４５はリング状に形成されているから、その厚み寸法を適宜設定することで、レンズ４１の焦点をＣＣＤ４２に正確に合わせることができる。
【００２６】
（６）入力プローブ４は表示窓１０Ａを照明する照明手段としてのＬＥＤ４３を備えたから、表示窓１０Ａで表示される画像の明るさが不足する場合には、ＬＥＤ４３によって携帯電話機１０の表示窓１０Ａが照射されるので、表示窓１０Ａで表示される画像を画像読取手段２で十分に読み取ることができる。
しかも、ＬＥＤ４３は、それ自体小型であって寿命が長いので、装置の小型化を図れるとともに照明手段のメンテナンスが容易となる。
【００２７】
（７）ＬＥＤ４３は筐体４０のレンズ４１より内部に配置された構成であるため、外部からの力によって破損することを防止できる。
（８）ＬＥＤ４３は筐体４０の円錐筒状部４０３の内周面部に複数取り付けられているから、効率よく照明光をレンズ４１を通して表示窓１０Ａに送ることができる。
【００２８】
（９）入力プローブ４は表示窓１０Ａから筐体４０内に照明される光の受光量を検出する受光センサ４４を備え、この受光センサ４４で携帯電話機１０のバックライトが消灯して表示窓１０Ａから暗い画像が送られる場合にＬＥＤ４３を点灯し、バックライトが点灯して表示窓１０Ａから鮮明な画像が送られる場合にＬＥＤ４３を消灯する構成としたから、必要な場合にのみＬＥＤ４３を用いた照明を行うので、低コストを図ることができる。
【００２９】
（第２実施形態）
次に、本発明の第２実施形態を図５及び図６に基づいて説明する。ここで、第２実施形態の説明において第１実施形態と同様の構成は同一符号を付して説明を省略もしくは簡略にする。
図５には第２実施形態の携帯端末用画像表示装置１１の概略構成が示されている。
図５において、携帯端末用画像表示装置１１は、携帯電話機１０の表示窓１０Ａと対向可能であり表示窓１０Ａの画像情報を読み取る画像読取手段１２と、この画像読取手段１２で読み取った画像情報を表示するモニタ３とを備えている。
【００３０】
画像読取手段１２は、表示窓１０Ａの画像情報を入力する入力プローブ１４と、この入力プローブ１４で入力した画像情報を編集してモニタ３に出力する制御部５とを備えている。
入力プローブ１４は、筐体１４０と、この筐体１４０の内部にそれぞれ設けられた反射鏡１４１、蛍光ランプ等の白色光源４３、色選択装置１４２、回転フィルタ１４３、撮像レンズ１４４、及びＣＣＤ４２とを備えている。
筐体１４０は、その上面に着脱自在に取り付けられたスペーサ４５及び第２スペーサ４５Ａで携帯電話機１０の全体を支持する構成である。第２スペーサ４５Ａは携帯電話機１０の操作キー１０Ｂ側を支持する。
白色光源４３は表示窓１０Ａを照明する照明手段として機能するものであり、白色光源４３からの光は表示窓１０Ａで下方に反射され反射光Ｌとなる。反射光Ｌは、反射鏡１４１によって反射され、色選択装置１４２によって該反射光Ｌを赤（Ｒ）、緑（Ｇ）、青（Ｂ）のいずれかのスペクトル成分を透過するように順次切り換えを行い、撮像レンズ１４４を介してＣＣＤ４２の光電変換部４２Ａに結像され電気信号に変換される。
【００３１】
図６は図５における色選択装置１４２の概略的な構成図である。
図６において、回転フィルタ１４３は駆動モータ等の回転駆動機構１４５で回転可能とされており、この回転は回転位相検出器１４５Ａで検出される。
回転フィルタ１４３は、Ｒ、Ｇ、Ｂの３色のフィルタを回転軸１４５Ｂの回りに連続的に等配してなる円板状部材から構成されている。
各色フィルタは、ＣＣＤ４２が順次Ｒ、Ｇ、Ｂの３色の光を選択的に取り込むように配置され、回転駆動機構１４５によって回転軸１４５Ｂの回りに回転駆動される。例えば、携帯電話機１０の表示窓１０Ａの画像を読み取ろうとする場合、回転フィルタ１４３のＲ透過用フィルタが反射鏡１４１と撮像レンズ１４４の間に位置し、ＣＣＤ４２にはそのＲ透過フィルタを透過した光が取り込まれる。
【００３２】
この色選択装置１４２の動作について簡単に説明する。
図６において、Ｌ１は表示窓１０Ａの画像を水平方向へスキャンする主走査を垂直方向にずらして読み進む副走査、すなわち読み取り走査であり、コントローラー１４６は、回転フィルタ１４３と副走査Ｌ１の同期をとるものであり、一定の位相関係を保持するように駆動モータ１４５の矢印方向への回転を公知のホール素子等から構成される回転位相検出器１４５Ａの出力信号を用いて読取搬送制御回路１４７を介して副走査Ｌ１の制御を行っており、回転フィルタ１４３は画像をスキャンする主走査１ラインにつき１回転し、主走査の周期Ｔで回転し続ける。
以上により、回転フィルタ１４３が１回転する間に、回転フィルタ１４３への反射光ＬはＲ、Ｇ、Ｂのそれぞれの色に分解され、透過光ＬＲ，ＬＧ、ＬＢを形成する。従って、ＣＣＤ４２は回転フィルタ１４３の１回転につき３原色の透過光ＬＲ，ＬＧ、ＬＢを順次入力し、カラー原稿の主走査１ライン分を読み取る。
なお、色選択装置１４２の構成を第１実施形態に適用することも可能である。
【００３３】
従って、第２実施形態では、第１実施形態の（１）（３）〜（５）と同様の作用効果を奏することができる。
【００３４】
（第３実施形態）
次に、本発明の第３実施形態を図７から図１１に基づいて説明する。ここで、第３実施形態の説明において第１実施形態と同様の構成は同一符号を付して説明を省略もしくは簡略にする。
図７は、車両の運転席から正面を見た図である。
図７において、車両５１のインスツルーメントパネル５２にはハンドル５２Ａ、速度メータや加速度計等の計器類５２Ｂ、換気口５２Ｃやカーオーディオ機器５２Ｄ等の既存の設備が設けられており、カーオーディオ機器５２Ｄの下方には、携帯端末である携帯電話機１０の表示窓１０Ａで表示される画像をそのまま撮像する入力プローブ２４が配置されている。
車両５１のフロントガラス５４であって計器類５２Ｂの近傍にはヘッドアップディスプレイ５５が設けられている。この入力プローブ２４及びヘッドアップディスプレイ５５を備えて携帯端末用画像表示装置２１が構成されている。
携帯電話機１０は、着信信号を受信した時には、発信者名１０Ｎａ、電話番号１０Ｎｕ及び発信者の写真１０Ｐ等の着信元情報や着信時間１０Ｔ並びに電波受信状況１０Ｒ等が表示窓１０Ａで表示される（図１１参照）とともに、この画像が全体に発光する。
【００３５】
図８にはヘッドアップディスプレイ５５を備えた投写装置５５０の構成が示されている。
この投写装置５５０は、種々の構成のものを基本構成として採用することができるものであり、例えば、特開平07-215093号公報に記載のものを一例として挙げることができる。
投写装置５５０は、高輝度光源及び光の透過可否を決定する図示しないＬＣＤ素子と、ＬＣＤ素子を通過した光を結像するホログラム光学素子から成されたホログラム投射光学系５５１と、ホログラム投射光学系５５１に埃等の異物質が投入されることを防止するための保護膜５５２と、投射光学系５５１を通過した映像を運転者の視野に誘導する前記ヘッドアップディスプレイ５５とを備えて構成されている。
ホログラム投射光学系５５１は円筒形又は四角筒形の鏡筒を備え、比較的発光波長領域が狭い高輝度発光体又はハロゲンランプのような図示しない光源、画像を電気的にＯＮ，ＯＦＦすることができるように調整されたＬＣＤ素子及びＬＣＤ素子を通過した光をヘッドアップディスプレイ５５に投射させるためのホログラム光学素子が光軸を一致させて支持されている。
【００３６】
ヘッドアップディスプレイ５５はハーフミラーを備えて構成されるものであり、図８で示されるヘッドアップディスプレイ５５はフロントガラスの車内側に直接貼付されるシート状である。本実施形態では、ヘッドアップディスプレイ５５の構造は図８で示されるものに限定されるものではなく、例えば、図９で示されるヘッドアップディスプレイ５５は筐体５５３を備え、この筐体５５３がインスツルーメントパネル５２に取り付けられる構造のものでもよい。
いずれのタイプのヘッドアップディスプレイ５５も車両５１の運転者の前方視野内に配置されるものである。
【００３７】
図１０は入力プローブ２４の縦断面図である。
図１０において、入力プローブ２４は、携帯電話機１０を配置する本体２４０と、この本体２４０に設けられた立上部２４１と、この立上部２４１に設けられ携帯電話機１０の表示窓１０Ａと対向配置されたレンズ４１と、このレンズ４１から得られる光信号を蓄積して二次元の画像データを生成するＣＣＤ４２と、このＣＣＤ４２から出力されるデジタル信号を制御して投写装置５５０に送る制御部５と、携帯電話機１０が着信信号を受信したことを検出する着信検出センサ３５とを備えている。
本実施形態では、画像処理回路５Ｂは着信検出センサ３５からの信号を受けた後一定時間（例えば、１分間）、ヘッドアップディスプレイ５５で表示窓１０Ａの画像を表示させるものである（図１１参照）。
【００３８】
前述の構成の装置において、携帯電話機１０に着信があると、その表示窓１０Ａに発信者名１０Ｎａ、電話番号１０Ｎｕ及び発信者の写真１０Ｐ等の着信元情報や着信時間１０Ｔ並びに電波受信状況１０Ｒ等が表示されるとともに、この画像が全体に発光する。
すると、この画像の発光を着信検出センサ３５が検出し、その信号を制御部５の画像処理回路５Ｂに送る。画像処理回路５Ｂではレンズ４１を介してＣＣＤ４２に投写された表示窓１０Ａの画像をヘッドアップディスプレイ５５に送り、このヘッドアップディスプレイ５５において表示窓１０Ａの画像がそのまま表示される。この画像の表示は所定時間（例えば、１分間）継続され。
運転者はヘッドアップディスプレイ５５で表示された画像から携帯電話機１０に着信があった時間、電波受信状況、着信元の情報を認識する。この際、着信があった際に車両５１が走行していても運転者は正面からヘッドアップディスプレイ５５に視線を変更すれば足りる。
【００３９】
従って、第３実施形態では、第１実施形態の（１）（２）（３）（６）（７）と同様の作用効果を奏することができる他、次の作用効果を奏することができる。
（１０）入力プローブ２４で撮像された画像をヘッドアップディスプレイ５５で表示するようにしたから、携帯電話機１０の着信が車両の運転時であっても、運転者はヘッドアップディスプレイ５５を見ることで、着信があったことを認識することができる。そして、運転者は正面からヘッドアップディスプレイ５５に視線を変更すれば足り、その角度はきわめて小さいので、車両５１が走行中であっても、正面から目を離す時間が短縮されて安全運転が確保される。
【００４０】
(１１)入力プローブ２４は、携帯電話機１０を配置する本体２４０を備えたから、携帯電話機１０を配置するスペースが予め確保されることで、車両５１の運転に伴って携帯電話機１０が誤って動くことがない。さらに、本体２４０に携帯電話機１０を立てた状態で保持する構成としたから、携帯電話機１０を設置するスペースを小さなものにできる。
【００４１】
なお、本発明は前述の実施形態に限定されるものではなく、本発明の目的を達成できる範囲での変形、改良等は本発明に含まれるものである。
例えば、携帯端末は携帯電話機１０に限定されるものではなく携帯情報端末（ＰＤＡ；personal digital assistant)であってもよい。
さらに、第３実施形態において投写装置５５０を用いて車速メータ、カーナビ情報を表示可能とする構成としてもよい。
また、第１，２実施形態において、モニタに代えて印刷機を用いてもよい。
【産業上の利用可能性】
【００４２】
本発明は、携帯電話機やＰＤＡ等の携帯端末の着信を伝達するための表示装置に利用することができる。
【図面の簡単な説明】
【００４３】
【図１】本発明の第１実施形態で適用される携帯電話機の正面図。
【図２】図１の側面図。
【図３】第１実施形態の携帯端末用画像表示装置の概略構成図。
【図４】制御部の構成を示すブロック図。
【図５】本発明の第２実施形態の携帯端末用画像表示装置の概略構成図。
【図６】第２実施形態の要部を示す概略構成図。
【図７】本発明の第３実施形態にかかる車両用表示装置を適用した車両の運転席から正面を見た図。
【図８】ヘッドアップディスプレイを備えた投写装置の構成を示す断面図。
【図９】図８とは異なるヘッドアップディスプレイを備えた投写装置の構成を示す断面図。
【図１０】携帯端末用画像表示装置の概略構成図。
【図１１】表示窓の画像が表示されたヘッドアップディスプレイを示す正面図。
【符号の説明】
【００４４】
１，１１，２１…携帯端末用画像表示装置、２，１２…画像読取手段、４，１４，２４…入力プローブ、３…モニタ、５…制御部、１０…携帯電話機（携帯端末）、１０Ａ…表示窓、２４…制御部、３０…本体、４０…筐体、４１…レンズ、４２…ＣＣＤ、４３…ＬＥＤ、４５…スペーサ、５５…ヘッドアップディスプレイ
【図１】
2006270256.tif 000003
【図２】
2006270256.tif 000004
【図３】
2006270256.tif 000005
【図４】
2006270256.tif 000006
【図５】
2006270256.tif 000007
【図６】
2006270256.tif 000008
【図７】
2006270256.tif 000009
【図８】
2006270256.tif 000010
【図９】
2006270256.tif 000011
【図１０】
2006270256.tif 000012
【図１１】
2006270256.tif 000013